(57)【特許請求の範囲】
【請求項１】
チューブを接続するための、相互に接続・脱離自在な２つのコネクタを含む医療用チューブコネクタ装置において、
内部を貫通する流路（11b, 107）を有しその流路の一端部でチューブと接続可能な第１コネクタ本体（11, 103）、及び前記第１コネクタ本体（11, 103）に対して着脱自在でありその装着された状態において前記流路の他端部を覆って封止する保護キャップ（12, 104）を含む第１コネクタと、
内部を貫通する流路（21, 113）を有するとともに前記第１コネクタの保護キャップ（12, 104）を挿入可能な凹部（18, 114）が形成され、前記流路（21, 113）の一端部でチューブと接続可能な第２コネクタ本体（14, 108）、及び前記第２コネクタ本体（14, 108）に対して変位可能に設けられ前記第２コネクタ本体（14, 108）の前記流路（21, 113）の他端部を覆って封止するカバー部（13, 115）が形成された案内キャップ（13, 109）を含む第２コネクタとを備え、
前記保護キャップ（12, 104）が前記第１コネクタ本体（11, 103）に対して前記流路の方向に直交する方向の移動によって脱着可能に構成され、
前記案内キャップ（13, 109）は、前記第２コネクタ本体（14, 108）に対して回動変位可能であって、前記第２コネクタ本体（14, 108）の前記凹部（18, 114）と前記流路（21, 113）の前記他端部とは、前記回動変位可能な方向に並んで配置され、
前記第２コネクタ本体（14, 108）と前記案内キャップ（13, 109）とは前記回動変位可能な方向における相対的な回動変位により、前記第２コネクタ本体（14, 108）の前記凹部（18, 114）が開放されるとともに前記流路（21, 113）の端部が前記カバー部（13, 115）により封止された準備状態と、前記流路（21, 113）の端部が開放された接続状態とをとることが可能なように構成され、
前記準備状態において、前記保護キャップ（12, 104）を装着した第１コネクタを前記凹部（18, 114）に挿入した後、前記第２コネクタ本体（14, 108）と案内キャップ（13, 109）とを相対的に回動変位させて前記接続状態にすることにより、前記保護キャップ（12, 104）が前記凹部（18, 114）に保持されて前記流路の方向に直交する方向に移動し前記第１コネクタ本体（11, 103）から脱離して、前記案内キャップ（13, 109）に保持された状態になるとともに、前記第１コネクタ本体（11, 103）と前記第２コネクタ本体（14, 108）とが接続されて流路が連通することを特徴とする医療用チューブコネクタ装置。
【請求項２】
前記第２コネクタが、
円環状をなし、その周縁部に、チューブと接続可能な少なくとも１つの液体の流出入口（15, 16）、及び前記第１コネクタを差し込むことのできる差込口（13b）を有し、前記案内キャップ（13）を構成するケーシング（13）と、
前記ケーシング（13）内に回転可能なように装着された略円柱状の本体からなり、その円柱内部を貫通し円柱周面に流出入口を形成する液体の流路（21）、及び前記円柱周面に形成され前記第１コネクタに装着された保護キャップ（12）を収納可能な少なくとも１つのキャップ収納用窪み（18）を有し、前記第２コネクタ本体（14）を構成する回転体（14）とを備え、
前記回転体（14）と前記ケーシング（13）とは相対的な回転位置により準備状態と接続状態とを取ることができ、前記準備状態においては、前記ケーシング（13）の差込口（13b）が前記回転体（14）のキャップ収納用窪み（18）に面して前記回転体（14）の流路（21）の流出入口は前記ケーシング（13）により封止され、前記接続状態においては、前記ケーシング（13）の差込口（13b）が前記回転体（14）の流路（21）の流出入口の１つに面するとともに前記ケーシング（13）の流出入口（15, 16）と前記回転体（14）の流路（21）の他の流出入口とが連通するように構成され、
前記準備状態において、前記第１コネクタを前記保護キャップ（12）の側から前記差込口（13b）を通して前記キャップ収納用窪み（18）に挿入した後、前記回転体（14）と前記ケーシング（13）とを前記接続状態にすることにより、前記保護キャップ（12）が前記回転体（14）のキャップ収納用窪み（18）に保持されて移動し前記第１コネクタ本体（11）から脱離するとともに、前記第１コネクタ本体（11）と前記回転体（14）の流路（21）が連通する請求項１に記載の医療用チューブコネクタ装置。
【請求項３】
前記接続状態において、前記第１コネクタ本体（11）が前記回転体（14）の周縁部で嵌合により保持される請求項２記載の医療用チューブコネクタ装置。
【請求項４】
前記第１コネクタ本体（11）に対する前記保護キャップ（12）の装着が、前記保護キャップ（12）に設けた断面Ｔ字型の凸部（12a）と前記第１コネクタ本体第（11）に設けた断面Ｔ字型の凹部（11a）の嵌合により行われ、前記回転体（14）における前記差込口（13b）を除く円周上に、断面が前記保護キャップ（12）に設けたものと同形状の断面Ｔ字型の凸部（14a）を設けた請求項３記載の医療用チューブコネクタ装置。
【請求項５】
前記回転体（14）が、前記キャップ収納用窪み（18, 19）を２つ以上有し、前記回転体（14）と前記ケーシング（13）の相対的な回動により、前記ケーシング（13）の差込口（13b）が前記キャップ収納用窪み（18, 19）のいずれにも対面可能なように構成された請求項２記載の医療用チューブコネクタ装置。
【請求項６】
少なくとも１つを残して前記キャップ収納用窪み（19）に未使用の保護キャップ（12）が充填され、前記第１コネクタとの接続状態から前記回転体（14）を回動させて前記ケーシング（13）の差込口（13b）が前記未使用の保護キャップ（12）を充填したキャップ収納用窪み（19）に面する位置関係をとることにより、前記第１コネクタに前記未使用保護キャップ（12）が装着されるように構成した請求項５記載の医療用チューブコネクタ装置。
【請求項７】
前記ケーシング（13）は前記液体の流出入口（15, 16）を少なくとも２つ有し、前記回転体（14）の回動により、それらの流出入口（15, 16）の１つに選択的に前記回転体（14）の流出入口の一方が連通し、同時に前記回転体（14）の他方の流出入口は前記ケーシング（13）の差込口に面するように構成した請求項２記載の医療用チューブコネクタ装置。
【請求項８】
前記ケーシング（13）は前記液体の流出入口（15, 16）を２つ有し、前記流出入口と前記差込口（13b）とが前記ケーシング（13）の周縁部に１２０度間隔で配置された請求項７記載の医療用チューブコネクタ装置。
【請求項９】
チューブを接続するための、相互に接続・脱離自在な２つのコネクタを含む医療用チューブコネクタ装置において、
内部を貫通する流路（11b, 107）を有しその流路の一端部でチューブと接続可能な第１コネクタ本体（11, 103）、及び前記第１コネクタ本体（11, 103）に対して着脱自在でありその装着された状態において前記流路の他端部を覆って封止する保護キャップ（12, 104）を含む第１コネクタと、
内部を貫通する流路（21, 113）を有するとともに前記第１コネクタの保護キャップ（12, 104）を挿入可能な凹部（18, 114）が形成され、前記流路（21, 113）の一端部でチューブと接続可能な第２コネクタ本体（14, 108）、及び前記第２コネクタ本体（14, 108）に対して変位可能に設けられ前記第２コネクタ本体（14, 108）の前記流路（21, 113）の他端部を覆って封止するカバー部（13, 115）が形成された案内キャップ（13, 109）を含む第２コネクタとを備え、
前記第２コネクタ本体（14, 108）と前記案内キャップ（13, 109）とは相対的な変位により、前記第２コネクタ本体（14, 108）の前記凹部（18, 114）が開放されるとともに前記流路（21, 113）の端部が前記カバー部（13, 115）により封止された準備状態と、前記流路（21, 113）の端部が開放された接続状態とをとることが可能なように構成され、
前記準備状態において、前記保護キャップ（12, 104）を装着した第１コネクタを前記凹部（18, 114）に挿入した後、前記第２コネクタ本体（14, 108）と案内キャップ（13, 109）とを前記接続状態にすることにより、前記保護キャップ（12, 104）が前記凹部（18, 114）に保持されて移動し前記第１コネクタ本体（11, 103）から脱離して、前記案内キャップ（13, 109）に保持された状態になるとともに、前記第１コネクタ本体（11, 103）と前記第２コネクタ本体（14, 108）とが接続されて流路が連通し、
前記接続状態から、前記第２コネクタ本体（14, 108）と案内キャップ（13, 109）とを相対的に変位させて前記準備状態に戻すことにより、前記保護キャップ（12, 104）が前記第１コネクタ本体（11, 103）に装着されるとともに、前記第２コネクタ本体（14, 108）の流路端部が前記カバー部（13, 115）により封止されることを特徴とする医療用チューブコネクタ装置。
【請求項１０】
前記接続状態において、前記第１コネクタ本体（103）と前記第２コネクタ本体（108）とが結合を維持した状態で、前記案内キャップ（109）が前記第２コネクタ本体（108）から脱離可能である請求項１記載の医療用チューブコネクタ装置。
【請求項１１】
前記案内キャップ（109）には、前記第１コネクタが挿入される位置に隣接して前記保護キャップ（104）を収納可能な収納部（120）が形成され、接続状態において、前記凹部（114）に保持されて移動した前記保護キャップ（104）が前記収納部（120）に収納保持される請求項１０記載の医療用チューブコネクタ装置。
【請求項１２】
前記第１コネクタおよび前記第２コネクタは、流路方向の引張り力に対して接続状態を維持し、かつ前記流路方向と直交する方向への相互の摺動によって両者が脱離可能である請求項１０記載の医療用チューブコネクタ装置。
【請求項１３】
チューブを接続するための、相互に接続・脱離自在な２つのコネクタを含む医療用チューブコネクタ装置において、
内部を貫通する流路（11b, 107）を有しその流路の一端部でチューブと接続可能な第１コネクタ本体（11, 103）、及び前記第１コネクタ本体（11, 103）に対して着脱自在でありその装着された状態において前記流路の他端部を覆って封止する保護キャップ（12, 104）を含む第１コネクタと、
内部を貫通する流路（21, 113）を有するとともに前記第１コネクタの保護キャップ（12, 104）を挿入可能な凹部（18, 114）が形成され、前記流路（21, 113）の一端部でチューブと接続可能な第２コネクタ本体（14, 108）、及び前記第２コネクタ本体（14, 108）に対して変位可能に設けられ前記第２コネクタ本体（14, 108）の前記流路（21, 113）の他端部を覆って封止するカバー部（13, 115）が形成された案内キャップ（13, 109）を含む第２コネクタとを備え、
前記第２コネクタ本体（14, 108）と前記案内キャップ（13, 109）とは相対的な変位により、前記第２コネクタ本体（14, 108）の前記凹部（18, 114）が開放されるとともに前記流路（21, 113）の端部が前記カバー部（13, 115）により封止された準備状態と、前記流路（21, 113）の端部が開放された接続状態とをとることが可能なように構成され、
前記準備状態において、前記保護キャップ（12, 104）を装着した第１コネクタを前記凹部（18, 114）に挿入した後、前記第２コネクタ本体（14, 108）と案内キャップ（13, 109）とを前記接続状態にすることにより、前記保護キャップ（12, 104）が前記凹部（18, 114）に保持されて移動し前記第１コネクタ本体（11, 103）から脱離して、前記案内キャップ（13, 109）に保持された状態になるとともに、前記第１コネクタ本体（11, 103）と前記第２コネクタ本体（14, 108）とが接続されて流路が連通し、
前記保護キャップ（12, 104）は、円弧に沿った摺動により、前記第１コネクタ本体（11, 103）に対して着脱可能であり、前記第２コネクタ本体（14, 108）と前記案内キャップ（13, 109）とは、円弧に沿った摺動によって相対的に変位可能であって、前記第１コネクタ本体（11, 103）と前記保護キャップ（12, 104）の摺動面に対応する円弧と、前記第２コネクタ本体（14, 108）と前記案内キャップ（13, 109）の摺動面に対応する円弧は、半径が同一の円周上にあり、
前記準備状態において、前記第１コネクタを前記保護キャップ（12, 104）の側から前記凹部（18, 114）に挿入したとき、前記第１コネクタ本体（11, 103）と前記保護キャップ（12, 104）の摺動面、および前記第２コネクタ本体（14, 108）と前記案内キャップ（13, 109）の摺動面が、同一円弧上に並ぶように構成したことを特徴とする医療用チューブコネクタ装置。
【請求項１４】
前記第２コネクタ本体（14, 108）と前記案内キャップ（13, 109）の摺動面に対応する円弧の中心が、前記第２コネクタ本体（14, 108）中に位置するように構成した請求項１３記載の医療用チューブコネクタ装置。
【請求項１５】
前記第１コネクタ本体（11, 103）は、摺動方向に直交する断面がＴ字型である凹状係合部または凸状係合部のいずれか一方を有し、前記保護キャップ（12, 104）は、前記凹状係合部または凸状係合部の他方を有し、前記凹状係合部と凸状係合部が嵌合して前記第１コネクタ本体（11, 103）と保護キャップ（12, 104）の摺動を案内するとともに、その嵌合により、前記第１コネクタ本体（11, 103）に前記保護キャップ（12, 104）が保持されるように構成した請求項１３記載の医療用チューブコネクタ装置。
【請求項１６】
前記第２コネクタ本体（14, 108）は、前記第１コネクタ本体（11, 103）が断面Ｔ字型の凹状係合部を有する場合は同凸状係合部を、前記第１コネクタ本体（11, 103）が断面Ｔ字型の凸状係合部を有する場合は同凹状係合部を有し、
前記準備状態において、前記保護キャップ（12, 104）を前記凹部（18, 114）に挿入したとき、前記保護キャップ（12, 104）と前記第２コネクタ本体（14, 108）の前記凸状および凹状係合部が同一円弧上に並び、
前記接続状態において、前記第１コネクタ本体（11, 103）と前記第２コネクタ本体（14, 108）の前記凸状および凹状係合部が嵌合することにより、前記第１コネクタ本体（11, 103）と前記第２コネクタ本体（14, 108）とが結合するように構成した請求項１５記載の医療用チューブコネクタ装置。
【請求項１７】
前記案内キャップ（109）は、前記接続状態において前記保護キャップ（12, 104）を覆う壁を有する請求項１記載の医療用チューブコネクタ装置。
【請求項１８】
前記案内キャップ（109）は、挿入された前記第１コネクタ本体（103）に沿って延在するつまみ（121）を有する請求項１記載の医療用チューブコネクタ装置。
【請求項１９】
請求項１に記載の医療用チューブコネクタ装置における案内キャップ（109）と保護キャップ（104）の組み合わせにより構成された交換キャップであって、
前記第２コネクタ本体（108）の流路端部を覆って封止可能なカバー部（115）、そのカバー部（115）に隣接した開口部（119）、及びその開口部（119）に隣接し前記保護キャップ（12, 104）を収納可能な収納部（120）を備えた案内キャップ（109）と、
前記案内キャップ（109）の前記収納部（120）に収納された前記保護キャップ（12, 104）とを含む交換キャップ。
【発明の詳細な説明】
【技術分野】
【０００１】
本発明は、医療用、特に腹膜透析に際して用いる、薬液の流路を構成するチューブを接続するための医療用チューブコネクタ装置に関する。特に、コネクタの接続・脱離に際して流路端部が手指により汚損されることがなく、また、コネクタの接続・脱離が容易な医療用チューブコネクタ装置に関する。
【背景技術】
【０００２】
腹膜透析を行う場合、患者の腹壁を通って腹腔に案内されているカテーテルを通して、患者の体液に対して濃度勾配を有する透析液を腹膜内に充填する。患者の腹膜はダイヤフラムとして機能し、患者の身体内の毒素や老廃物等が腹腔内に移動する。そして、腹腔内の毒素や老廃物等を体外へ排出する。
【０００３】
具体的には、透析液バッグ、排液バッグ、カテーテルに接続した延長チューブ等を接続して、腹腔内に透析液を注入し、所定時間（３〜５時間）貯留した後に、毒素・老廃物等の貯まった液を排液バッグに捨てる。透析液はチューブを通じて患者の腹腔内に注入され、毒素や老廃物等の液もチューブを通じて排液バッグへ捨てられる。
【０００４】
このように患者が腹腔に透析液を注入したり、貯留液を排出しやすいように、予め透析液バッグと排液バッグをＹ型コネクタ等によって連結したツインバッグシステムが考案されている。
【０００５】
ところが、患者は腹腔内に透析液を貯留している間、これらの透析液バッグや排液バッグをぶらさげて生活するよりも、延長チューブのコネクタから、接続されたバッグを切り離すことができる方が快適で望ましい。その際に、延長チューブのコネクタを何ら保護せずに裸で空気中にさらすと、空気中の細菌等に汚染されるおそれがあるため、コネクタをキャップ等でカバーすることが望ましい。従来のツインバッグシステムでは、コネクタの汚染保護のために主としてキャップが使用されてきた。
【０００６】
しかし、患者が液交換をする場合、コネクタからキャップを脱着する際に、患者が手で不用意にコネクタやキャップ等を触ることによっても流路が汚染され、その結果患者の腹腔内が汚染される可能性も残されている。
【０００７】
上記の問題を解決するための方法として、特許文献１に記載のように、コネクタの連結端部を二重壁にし、手指が触れにくい構造にすることが提案された。また、特許文献２には、患者が直接手に触れることなくコネクタの接続・脱離を行うことができるように、キャップの脱着およびコネクタの接続・脱離を自動的に行うための自動接続装置が開示されている。
【０００８】
しかしながら、特許文献１に記載のように二重壁構造を用いたとしても、汚染対策としては充分ではなかった。第１に、コネクタ同士またはコネクタとキャップとを脱着する際は、コネクタに設けた流路端部が外気に晒された状態にあり、浮遊菌によって流路が汚染する可能性があった。第２に、コネクタの脱着操作は人手によって行われるので、開口したコネクタの端部に手指が触れることを防止するには万全とは言えない。すなわち一方のコネクタの外壁径は大きくならざるを得ないので、手指が触れる可能性は依然として残っている。
【０００９】
一方、特許文献２に記載のように、キャップの脱着及びコネクタの接続・脱離を自動化した機械は、その構成が複雑になり、高価となること、また患者が常時携帯するのは不便であることから、使用機会が限定される。
【００１０】
また、腹膜透析においては、上述のようなコネクタやキャップの脱着の際に起こる可能性のある汚染の問題以外に、患者腹腔内の注排液を行うための流路切替えの問題があった。すなわち、透析液の注入や貯留液の排出を間違うことなく簡単に流路を切替える切替え装置が必要となる。従来は、クランプによって患者自身の手によって切替えるのが主流であったが、誤操作防止・安全等の観点から切替えを制御する装置が各種考案されている。例えば、特許文献３では、流体の流れを制御する装置として回転式の制御装置が開示されている。また、特許文献４では、特殊な三方弁を用いた流れの制御装置が開示されている。
【特許文献１】特開平５−３１１７８号公報
【特許文献２】特開平８−０００７２５号公報
【特許文献３】特開平８−２２４３００号公報
【特許文献４】特表平２−５０２８８２号公報
【発明の開示】
【発明が解決しようとする課題】
【００１１】
しかし、従来のクランプによって患者自身が流れを制御する方法では、切替え操作ミスから液を体内へ逆流させたり、透析液を排液バッグに無駄に排出する可能性があった。
【００１２】
また、従来の流路切替え装置においては、流路の切替えはできても、チューブと透析液バッグのコネクタ同士やコネクタとキャップとの脱着は患者自身が手で行うことが必要であり、その際に患者自身の不用意な操作やミス等によってコネクタやキャップが汚染される可能性が残されている。また、キャップの交換も患者自身が手で行うことから、交換時に未使用キャップが汚染される可能性もあった。
【００１３】
本発明は、上記従来技術の欠点を解消し、コネクタ脱着時に起こり得る手指による汚染や操作ミスを防ぐため、コネクタの接続・脱離に際してのキャップの脱着が、コネクタに設けた流路端部の露出を伴わなずに行われる構造を有する医療用チューブコネクタ装置を提供することを目的とする。
【００１４】
また、本発明は、キャップの脱着を伴うコネクタの接続・脱離を、コネクタの流路を汚染から防護しながら、特別な装置や工具を用いることなく容易に行うことのできる医療用チューブコネクタ装置を提供することを目的とする。
【００１５】
さらに本発明は、流路の切替えを容易にすることができると共に、コネクタ脱着時に起こり得る汚染や操作ミスを防ぎ、脱着時に患者が接続部に直接手を触れることなくキャップの交換を行うことのできる医療用チューブコネクタ装置を提供することを目的とする。
【課題を解決するための手段】
【００１６】
本発明の医療用チューブコネクタ装置は、基本構成として、チューブを接続するための、相互に接続・脱離自在な２つのコネクタを含む医療用チューブコネクタ装置であって、内部を貫通する流路を有しその流路の一端部でチューブと接続可能な第１コネクタ本体及び第１コネクタ本体に対して着脱自在でありその装着された状態において流路の他端部を覆って封止する保護キャップを含む第１コネクタと、内部を貫通する流路を有するとともに第１コネクタの保護キャップを挿入可能な凹部が形成され、流路の一端部でチューブと接続可能な第２コネクタ本体、及び第２コネクタ本体に対して変位可能に設けられ第２コネクタ本体の流路の他端部を覆って封止するカバー部が形成された案内キャップを含む第２コネクタとを備える。
上記の課題を解決するために、本発明の第１構成の医療用チューブコネクタ装置は、保護キャップが第１コネクタ本体に対して流路の方向に直交する方向の移動によって脱着可能に構成され、案内キャップは、第２コネクタ本体に対して回動変位可能であって、第２コネクタ本体の凹部と流路の他端部とは、回動変位可能な方向に並んで配置される。そして、第２コネクタ本体と案内キャップとは回動変位可能な方向における相対的な回動変位により、第２コネクタ本体の凹部が開放されるとともに流路の端部がカバー部により封止された準備状態と、流路の端部が開放された接続状態とをとることが可能なように構成される。
上記の準備状態において、保護キャップを装着した第１コネクタを凹部に挿入した後、第２コネクタ本体と案内キャップとを相対的に回動変位させて接続状態にすることにより、保護キャップが凹部に保持されて流路の方向に直交する方向に移動し第１コネクタ本体から脱離して、案内キャップに保持された状態になるとともに、第１コネクタ本体と第２コネクタ本体とが接続されて流路が連通する。
【発明の効果】
【００１７】
本発明の医療用チューブコネクタ装置によれば、保護キャップの脱着、および第２コネクタ本体の流路端部の封止・解放が、コネクタの脱着操作に伴ってコネクタ装置内で行われ、外気に曝されることがない。そのため、コネクタの流路端部が外界の浮遊細菌によって汚染するのを防止できる。また、コネクタの脱着を人手で行わないので、流路端部に手指が触れるおそれが解消される。また、接続・脱離の操作は、第１コネクタを第２コネクタに挿入し、第２コネクタ本体を回動させるだけでよく、特別な器具を用いることもなく、極めて容易である。
【発明を実施するための最良の形態】
【００１８】
上記本発明の医療用チューブコネクタ装置の構成において、第２コネクタを以下のような構成にすることができる。すなわち、円環状をなし、その周縁部に、チューブと接続可能な少なくとも１つの液体の流出入口、及び第１コネクタを差し込むことのできる差込口を有し、案内キャップを構成するケーシングと、ケーシング内に回転可能なように装着された略円柱状の本体からなり、その円柱内部を貫通し円柱周面に流出入口を形成する液体の流路、及び円柱周面に形成され第１コネクタに装着された保護キャップを収納可能な少なくとも１つのキャップ収納用窪みを有し、第２コネクタ本体を構成する回転体とを備える。そして、回転体とケーシングとは相対的な回転位置により準備状態と接続状態とを取ることができ、準備状態においては、前記ケーシングの差込口が回転体のキャップ収納用窪みに面して回転体の流路の流出入口はケーシングにより封止され、接続状態においては、ケーシングの差込口が回転体の流路の流出入口の１つに面するとともにケーシングの流出入口と回転体の流路の他の流出入口とが連通するように構成される。また、前記準備状態において、前記第１コネクタを前記保護キャップの側から前記差込口を通して前記キャップ収納用窪みに挿入した後、前記回転体と前記ケーシングとを前記接続状態にすることにより、前記保護キャップが前記回転体のキャップ収納用窪みに保持されて移動し前記第１コネクタ本体から脱離するとともに、前記第１コネクタ本体と前記回転体の流路が連通する。
【００１９】
この構成の医療用チューブコネクタ装置は、接続状態において第１コネクタ本体が前記回転体の周縁部で嵌合により保持されるように構成することができる。それにより、第１コネクタ本体が回転体に確実に保持され、透析作業中のチューブの離脱等を未然に防止することができる。
【００２１】
また、第１コネクタ本体に対する保護キャップの装着が、保護キャップに設けた断面Ｔ字型の凸部と第１コネクタ本体に設けた断面Ｔ字型の凹部の嵌合により行われ、回転体における差込口を除く円周上に、断面が保護キャップに設けたものと同形状の断面Ｔ字型の凸部を設けた構成とすることが好ましい。それにより、保護キャップの側方への摺動も容易な上、保護キャップと第１コネクタ本体が流路方向へは容易に離脱しない構造となる。ただし、キャップの断面形状は、同様の特質を有する形状であればどのような形状も適用可能である。例えば、キャップの断面が台形でも、円形でも、逆三角形でも良い。
【００２２】
また、好ましくは、回転体が、キャップ収納用窪みを２つ以上有し、回転体とケーシングの相対的な回動により、ケーシングの差込口が前記キャップ収納用窪みのいずれにも対面可能なように構成する。それにより、回転によって自動的に保護キャップを交換する構造を実現できる。この場合、未使用キャップが充填できる構造であれば良く、最初から未使用キャップが充填されていても良いし、後から未使用キャップを充填することが可能な構造としても良い。
【００２３】
また、少なくとも１つを残してキャップ収納用窪みに未使用の保護キャップが充填され、第１コネクタとの接続状態から回転体を回動させてケーシングの差込口が未使用の保護キャップを充填したキャップ収納用窪みに面する位置関係をとることにより、第１コネクタに未使用保護キャップが装着されるように構成することもできる。脱着時に患者が接続部に直接手を触れることなくキャップを交換することにより、患者が手で不用意にコネクタやキャップ等を触ることによる流路汚染の可能性を排除することができる。
【００２４】
また、ケーシングが液体の流出入口を少なくとも２つ有し、回転体の回動により、それらの流出入口の１つに選択的に回転体の流出入口の一方が連通し、同時に回転体の他方の流出入口はケーシングの差込口に面するように構成することもできる。それにより、流路の切換が容易なコネクタを実現できる。
【００２５】
この構成において、ケーシングが液体の流出入口を２つ有し、流出入口と差込口とがケーシングの周縁部に１２０度間隔で配置された構成とすることが好ましい。それにより、三方弁のような複雑な機構を有することなく、流路を三方向に容易に切替えることが可能となる。
【００２６】
本発明の第２構成の医療用チューブコネクタ装置は、上記基本構成に加えて、第２コネクタ本体と案内キャップとは相対的な変位により、第２コネクタ本体の凹部が開放されるとともに流路の端部がカバー部により封止された準備状態と、流路の端部が開放された接続状態とをとることが可能なように構成される。
準備状態において、保護キャップを装着した第１コネクタを凹部に挿入した後、第２コネクタ本体と案内キャップとを接続状態にすることにより、保護キャップが凹部に保持されて移動し第１コネクタ本体から脱離して、案内キャップに保持された状態になるとともに、第１コネクタ本体と第２コネクタ本体とが接続されて流路が連通する。
更に、接続状態から、第２コネクタ本体と案内キャップとを相対的に変位させて準備状態に戻すことにより、保護キャップが第１コネクタ本体に装着されるとともに、第２コネクタ本体の流路端部がカバー部により封止される。
【００２７】
第１構成の医療用チューブコネクタ装置は、好ましくは、接続状態において、第１コネクタ本体と第２コネクタ本体とが結合を維持した状態で、案内キャップが第２コネクタ本体から脱離可能なように構成する。
【００２８】
この構成において、好ましくは、案内キャップには、第１コネクタが挿入される位置に隣接して保護キャップを収納可能な収納部が形成され、接続状態において、凹部に保持されて移動した保護キャップが収納部に収納保持されるように構成する。この構成は、接続状態から直に準備状態に戻る行程（準備状態→接続状態→準備状態）を用いる際に、案内キャップを、第２コネクタ本体から脱離させる場合には特に有用である。両コネクタを接続した後、案内キャップを脱離する必要の無い場合は、保護キャップを保持する手段は特に設けなくても良い。
【００２９】
また、第１コネクタおよび第２コネクタは、流路方向の引張り力に対して接続状態を維持し、かつ流路方向と直交する方向への相互の摺動によって両者が脱離可能なように構成することができる。
【００３０】
本発明の第３構成の医療用チューブコネクタ装置は、上記基本構成に加えて、第２コネクタ本体と案内キャップとは相対的な変位により、第２コネクタ本体の凹部が開放されるとともに流路の端部がカバー部により封止された準備状態と、流路の端部が開放された接続状態とをとることが可能なように構成される。
準備状態において、保護キャップを装着した第１コネクタを凹部に挿入した後、第２コネクタ本体と案内キャップとを接続状態にすることにより、保護キャップが凹部に保持されて移動し第１コネクタ本体から脱離して、案内キャップに保持された状態になるとともに、第１コネクタ本体と第２コネクタ本体とが接続されて流路が連通する。
更に、保護キャップは、円弧に沿った摺動により、第１コネクタ本体に対して着脱可能であり、第２コネクタ本体と案内キャップとは、円弧に沿った摺動によって相対的に変位可能であって、第１コネクタ本体と保護キャップの摺動面に対応する円弧と、第２コネクタ本体と案内キャップの摺動面に対応する円弧は、半径が同一の円周上にあり、準備状態において、第１コネクタを保護キャップの側から凹部に挿入したとき、第１コネクタ本体と保護キャップの摺動面、および第２コネクタ本体と案内キャップの摺動面が、同一円弧上に並ぶように構成する。
好ましくは、第２コネクタ本体と案内キャップの摺動面に対応する円弧の中心が、第２コネクタ本体中に位置するように構成する。これらの構成によれば、着脱を回動により行うため、力が入りやすく、操作が容易である。
【００３１】
更に、上記構成において好ましくは、第１コネクタ本体は、摺動方向に直交する断面がＴ字型である凹状係合部または凸状係合部のいずれか一方を有し、保護キャップは、凹状係合部または凸状係合部の他方を有し、凹状係合部と凸状係合部が嵌合して第１コネクタ本体と保護キャップの摺動を案内するとともに、その嵌合により、第１コネクタ本体に保護キャップが保持されるように構成する。この構成によれば、第１コネクタ本体に対する保護キャップの係合が確実であるとともに、脱着も容易である。
【００３２】
更に、好ましくは、第２コネクタ本体は、第１コネクタ本体が断面Ｔ字型の凹状係合部を有する場合は同凸状係合部を、第１コネクタ本体が断面Ｔ字型の凸状係合部を有する場合は同凹状係合部を有し、準備状態において、保護キャップを凹部に挿入したとき、保護キャップと第２コネクタ本体の凸状および凹状係合部が同一円弧上に並び、接続状態において、第１コネクタ本体と第２コネクタ本体の凸状および凹状係合部が嵌合することにより、第１コネクタ本体と第２コネクタ本体とが結合するように構成する。この構成によれば、コネクタの接続時に、脱離した保護キャップに代わって、第１コネクタ本体に対して第２コネクタ本体が係合することになり、両者の係合構造が非常に簡素である。
【００３３】
更に、好ましくは、案内キャップは、接続状態において保護キャップを覆う壁を有する。この構成によれば、コネクタ接続時における保護キャップの保護が良好である。
【００３４】
更に、好ましくは、案内キャップは、挿入された第１コネクタ本体に沿って延在するつまみを有する。第１コネクタ本体をつまみとともに握って第２コネクタ本体を回動させれば、第１コネクタ本体と第２コネクタ本体の結合を安定して容易に操作することができる。
【００３５】
更に、上記構成の医療用チューブコネクタ装置を構成する案内キャップと保護キャップの組み合わせにより、交換キャップを、第２コネクタ本体の流路端部を覆って封止可能なカバー部、そのカバー部に隣接した開口部、及びその開口部に隣接し保護キャップを収納可能な収納部を備えた案内キャップと、案内キャップの収納部に収納された保護キャップとを含む構成とすることができる。
【００３６】
以下、本発明の実施形態について、図面を参照しながら説明する。
【００３７】
（実施の形態１）
以下、本発明の実施の形態１にかかる医療用チューブコネクタ装置について、図１から図１５を参照しながら説明する。
【００３８】
図１は、本発明の実施形態にかかる医療用チューブコネクタ装置の斜視図である。図１において、１０はカテーテルからのチューブ、１１は第１コネクタ本体、１２は第１コネクタ１１の先端に装着された保護キャップを示す。第１コネクタ本体１１と保護キャップ１２により第１コネクタが構成される。第１コネクタ本体１１と保護キャップ１２とは、第１コネクタ本体１１に形成された断面Ｔ字型の凹部１１ａに対して保護キャップ１２に形成された断面Ｔ字型の凸部１２ａを差し込んだ形で嵌合されている。
【００３９】
次に、１３はケーシング、１４はケーシング１３の内部にある円柱状の回転体であり、両部材により第２コネクタが構成される。ケーシング１３及び回転体１４の材質としては、患者が扱うものでもあり、軽量、かつ、破損しにくい材質が要求される。例えば、ポリプロピレン、ポリカーボネート等が挙げられる。また、ケーシング全体の大きさとしては、手のひらに収まる程度の大きさが好ましい。患者自身が操作しやすいようにするためである。
【００４０】
ケーシング１３は、透析液注入口１５、排液排出口１６を有する。すなわち、透析液注入口１５が透析液バッグと、排液排出口１６が排液バッグとそれぞれ接続される。ケーシング１３は更に、差込口１３ｂを有し、案内キャップを構成する。回転体１４は第２コネクタ本体を構成するものであり、側面に回転用把持部１７を有し、円柱周面部には第１コネクタ本体１１に装着された保護キャップ１２を収納するキャップ収納部１８を有する。図１は、差込口１３ｂとキャップ収納部１８が対面した状態を示す。１９は交換用の未使用保護キャップを収納するキャップ収納部を示す。ケーシング１３と回転体１４を相互に回転させて、図に示すように差込口１３ｂとキャップ収納部１８が対面した状態にすれば、第１コネクタを挿入して、保護キャップ１２がキャップ収納部１８に納まるようにすることができる。
【００４１】
図２は、図１の医療用チューブコネクタ装置の断面図であり、図２（ａ）は、平面断面図、図２（ｂ）は図２（ａ）のＡ−Ａ’断面を示す図である。第１コネクタ本体１１は、チューブ１０と連通する流路となる貫通孔１１ｂを有する。回転体１４には、透析液等の液体が流れる流路２１が形成されている。流路２１は、流入口と流出口とが１２０度の角度をなしている。また、ケーシング１３の差込口１３ｂ、透析液注入口１５、及び排液排出口１６は、互いに１２０度の角度をもって配置されている。従って、回転体１４を回転させることにより、流路２１を、チューブ１０から排液排出口１６への流路、透析液注入口１５から排液排出口１６への流路、透析液注入口１５からチューブ１０への流路、の３とおりに変更することができる。流路の形状については、本実施の形態のように屈曲したものに限定されるものではなく、円弧を描くような形状でも、直線上の形状でも適用可能である。
【００４２】
また、チューブ１０の先端にある保護キャップ１２の形状は、角型であれ円柱型であれ特に限定されるものではないが、楔型形状を有することが望ましい。第２コネクタとの脱着を容易にするとともに、回転体１４の回転によって保護キャップ１２を容易に離脱させることができ、回転による保護キャップ１２の移動も容易となるからである。さらに、上記の形状は、接続時において液体の流路が開通した際に液体の漏れ防止にも有効に機能する。
【００４３】
また、Ａ−Ａ’断面図に示すように、保護キャップ１２と第１コネクタ本体１１とは断面Ｔ字型の凹部１１ａと凸部１２ａにより嵌合し、回転体１４が回転することで、第１コネクタ本体１１と保護キャップ１２はスライドして離れ、第１コネクタ本体１１は回転体１４の周縁部に形成された断面Ｔ字型凸部をなすリブ１４ａと嵌合するようになる。ケーシング１３の内側周縁部には全周に渡って係合用溝１３ａが形成され、回転体１４の外側周縁部にはその溝に係合できるようにリブ１４ａが形成されている。
【００４４】
上記の構成において、患者の誤操作を防止すべく、流路２１が、透析液注入口１５、排液排出口１６またはキャップ収納部１８の位置まで回転した場合には、嵌合感と共に固定される構造を有することが好ましい。あるいは、指定位置にその旨の表示を行うものでも良い。さらに、一方向にしか回転できない構成とすることにより誤操作を防止するのも効果的である。また、実際の液体の流れを目視確認できるよう、ケーシング１３及び回転体１４を透明若しくは半透明にすることもできる。
【００４５】
図３は、保護キャップ１２の接続部分の拡大図である。保護キャップ１２は断面Ｔ字型の凸部１２ａを有する。上述のように、回転体１４の周縁部にも保護キャップ１２と同様の断面Ｔ字型の凸部が形成されている。一方第１コネクタ本体１１は、上述のように、かかる凸部と嵌合する形状の断面Ｔ字型の凹部を有する。
【００４６】
保護キャップにおける第１コネクタ本体との結合部分の断面形状は、図３のようなＴ字型の形態に限定されるものではない。例えば、図４に示すような台形状の形態を有するものであっても、図５に示すような円状若しくは楕円状の形態を有するものであってもよい。嵌合した場合に、長手方向に離脱しにくい形態でありさえすれば、どのような形態であっても良い。
【００４７】
また、どのような形態をしていても、回転体１４の周縁部には同様の断面型を有する凸部が形成され、形成された凸部の中心部には、図２に示した流路２１の流出入口をなす孔が開口している。断面Ｔ字型の場合においては、図６に示すように流出入口２１ａが形成される。
【００４８】
図７は、図１の医療用チューブコネクタ装置の一部を示す断面図であり、第１コネクタ本体１１と回転体１４の接続状態を示す。回転体１４が回転して、流路２１が第１コネクタ本体１１の貫通孔１１ｂと連結すると、透析液若しくは排液が回転体１４の内部を流れることが可能となる。この際に当該液体が外部に漏れないように工夫をする必要がある。そこで、「Ｏ」リング７１等を回転体１４の周縁部に形成された凸部１４ａに装着しておくことにより、連結時の透析液若しくは排液の漏れを防止することが可能となる。「Ｏ」リング等はシリコンゴム等のエラストマー材料で製造するのが好ましい。
【００４９】
以下、図１の医療用チューブコネクタ装置の動作について、図８から図１３を参照して説明する。
【００５０】
まず図８に示すように、第１コネクタ本体１１を保護キャップ１２ごと差込口１３ａから挿入する。
【００５１】
次に、第１コネクタを保持した状態で回転体１４を回転させ、図９に示すように、流路２１によりチューブ１０と排液排出口１６とを連結する。回転することにより、回転体１４の周縁部に形成された凸部と第１コネクタ本体１１の凹部とが嵌合し、第１コネクタ本体１１は回転体１４に保持される。このようにして、チューブ１０は排液バッグと連結され、腹膜内に溜まっている液を排液バッグへと排出することが可能となる。
【００５２】
次に、回転体１４を１２０度回転させて、図１０に示すように、排液用接続口１６と透析液注入口１５とを流路２１で連結させる。透析液を直接排液バッグへ排出することにより、回転体１４の内部の流路２１の内側に付着している排液の残りを洗浄し、流路２１内に液を満たすプライミング操作が可能となる。かかる作業は、流路の洗浄とプライミングのためである。洗浄（プライミング）操作が終了したら、さらに回転体１４を１２０度回転させて、図１１に示すように、透析液注入口１５とチューブ１０とを流路２１で連結する。そして、透析液を体内へと注入する。
【００５３】
注液操作が終了したら、図１２に示す状態に回転させることにより、未使用保護キャップ１９が第１コネクタ本体１１に嵌合する。嵌合することにより、未使用保護キャップ１９のロックがはずれ、未使用保護キャップ１９が回転体１４から脱離し、チューブ１０を第２コネクタから切り離すことができる。すなわち、図１３に示すように、未使用保護キャップ１９が第１コネクタ本体１１に結合した状態でチューブ１０が本装置から切り離されるので、患者の手によって流路を汚染することなく保護キャップの脱着・交換を終了することができ、清潔さを確保して容易に透析作業を行うことができる。
【００５４】
なお図８に示したように第１コネクタ本体１１を挿入した際に、保護キャップ１２と回転体１４との連結を保持するために、バネ系の弾性体を活用した機構を用いたり、機械的なロック機構を用いることができる。
【００５５】
例えば、図１４に示すように、保護キャップ１２に素材自身の弾性若しくはバネ等の機構によって突出したり引っ込んだりすることができる保持部１２ｂを設け、回転体１４側に保持部１２ｂと係合可能な窪み１４ｃを設ける。これにより、第１コネクタを保護キャップ１２ごとキャップ収納用窪み１８へ挿入した場合に、保持部１２ｂによってロックされ、回転体１４を回転させていない状態でも容易に外れないようにすることができる。
【００５６】
また、図１５に示すように、第１コネクタ本体１１と保護キャップ１２との嵌合部の近傍３０が空気中の細菌等で汚染されていると、使用時に好ましくない。そこで、第１コネクタ本体１１の外側に、流路方向に移動できる保護カバー３１を設けることが効果的である。すなわち、使用しない時には、保護キャップ１２を覆うように保護カバー３１を下ろして連結部分の近傍３０を保護し、使用する時には保護カバー３１を上げて使用する。
【００５７】
保護カバーは、図１６に示すような構造で流路方向に移動するように構成することができる。第１コネクタ本体４０はガイド部４１を有し、ガイド部４１に案内されて摺動可能な摺動部材４２が設けられている。ガイド部４１の内側の空隙部分には、スプリング４４が装着され、摺動部材４２を外向きに付勢している。摺動部材４２は、保護キャップ１２を覆う位置と露出する位置とをとることができる。図１６（ａ）に示すように、保護キャップ１２を覆う位置で摺動部材４２に保護カバー４３を装着する。使用に際しては、図１６（ｂ）に示すように、保護カバー４３を外し、摺動部材４２を後退させて、保護キャップ１２を露出させる。摺動部材４２は、スプリング４４により保護キャップ１２を覆う位置に付勢されているので、不使用時には、保護キャップ１２は簡易にしかも確実にカバーされる。
【００５８】
また、流出入口が３つある場合には、使用済み保護キャップが収納されるキャップ収納用窪み１８と、未使用保護キャップが収納されるキャップ収納用窪み１９のなす円周角が１２０度以内の近傍にあることが好ましい。さらに、キャップ収納用窪み窪み１８とキャップ収納用窪み１９は、流路によって区分される２つの区域のうち同一区域内に設けられることが好ましい。流路切替えとの整合性を図るためである。
【００５９】
さらに、使用済み保護キャップを未使用保護キャップへと交換する場合、交換作業を患者自身の手で行うのでは、保護キャップが患者の手によって汚染される可能性がある。かかる汚染を未然に防止すべく、初期出荷時に未使用保護キャップを本装置に装着しておくことも効果的である。
【００６０】
以上のように本実施の形態によれば、患者自身の手によって、容易に腹膜透析を確実に行うことができ、また保護キャップ取り替えが人手を介さずに行うことができるので、汚染されること無く清潔に腹膜透析を行うことが可能となる。
【００６１】
（実施の形態２）
図１７は、本発明の実施の形態２における医療用チューブコネクタ装置を示す平面図である。１０１は第１コネクタ、１０２は第２コネクタであり、図示していないが、各々液体の流路を構成するチューブに接続され、両コネクタ１０１，１０２を結合することにより、液体の流路が連通する。両コネクタ１０１，１０２は接続・脱離が自在である。
【００６２】
第１コネクタ１０１は、第１コネクタ本体１０３と第１キャップ１０４からなる。第１キャップ１０４は、第１コネクタ本体１０３に対して着脱自在である。第１コネクタ本体１０３には、チューブ（図示せず）と接続するための接続部１０５が形成されている。第１コネクタ本体１０３の内部には、接続部１０５から第１キャップ１０４が装着された側の端部１０６まで貫通する流路１０７が形成されている。第１キャップ１０４は、装着された状態において、流路１０７の端部１０６を覆い、封止する。
【００６３】
第２コネクタ１０２は、第２コネクタ本体１０８と、第２コネクタ本体１０８に対して変位可能なように設けられた案内キャップ１０９からなる。案内キャップ１０９の変位は、軸１１０を中心とした回動による。
【００６４】
第２コネクタ本体１０８には、チューブ（図示せず）と接続するための接続部１１１が形成されている。第２コネクタ本体１０８の内部には、接続部１１１から反対側の端部１１２まで貫通する流路１１３が形成されている。第２コネクタ本体１０８は、流路１１３に隣接して、凹部１１４を有する。
【００６５】
案内キャップ１０９には、カバー部１１５が設けられている。カバー部１１５は、図１７に示す状態、すなわち第２コネクタ本体１０８が右周り終端（以下回動右端という）まで回動した状態で、第２コネクタ本体１０８の先端部分をカバーする。この状態においてカバー部１１５は、第２コネクタ本体１０８の端部１１２を覆って封止する。カバー部１１５からはつまみ１２１が延びている。案内キャップ１０９にはさらに、カバー部１１５に隣接して開口部１１９が形成されている。図１７のように開口部１１９に第２コネクタ本体１０８の凹部１１４が位置する状態では、凹部１１４が外部に対して開口し、第１コネクタ１０１の第１キャップ１０４を挿入可能である。さらに、開口部１１９に隣接して第１キャップの収納部１２０が形成されている。
【００６６】
次に、図１８を参照して、第１コネクタ１０１の構造について、より詳細に説明する。図１８（ａ）は第１コネクタ１０１の斜視図、（ｂ）は同正面図、（ｃ）は（ｂ）のＡ−Ａ断面図である。第１キャップ１０４は、Ｔ字型の断面をなす凸状係合部１１６を有する。第１コネクタ本体１０３には、凸状係合部１１６と嵌合する断面Ｔ字型の凹状係合部１１７を有する。凸状係合部１１６を凹状係合部１１７に対して摺動させることにより、第１キャップ１０４を第１コネクタ本体１０３に対して着脱する。
【００６７】
次に、図１９〜図２２を参照して、第２コネクタ１０２の構造について、より詳細に説明する。図１９は、第２コネクタ本体１０８と、案内キャップ１０９とを分解して示した図である。図１９には第１コネクタを示していないが、第１コネクタと第２コネクタの各流路を連結した前記接続状態で、第２コネクタ本体１０８と案内キャップ１０９とは上下方向に脱離可能である。図２０は、第２コネクタ本体１０８が左周り終端（以下回動左端という）まで回動した状態を示す。実際に使用する場合は、このような状態にはならないが、構造の理解のために示したものである。この状態では、端部１１２が露出しており、流路１１３が終端で開口している。
【００６８】
図２１の（ａ）は第２コネクタ本体１０８の平面図、（ｂ）は正面図、（ｃ）は背面図である。第２コネクタ本体１０８には、回動中心孔１１８が形成され、第２コネクタ本体１０８と案内キャップ１０９を係合させた時には、回動中心孔１１８と軸１１０が嵌合する。第２コネクタ本体１０８の端部１１２は、図２１（ｂ）に示したように、第１キャップ１０４の凸状係合部１１６と同様のＴ字型断面をした凸状係合部１１２ａを有する。従って端部１１２は、この凸状係合部１１２ａにより第１コネクタ本体３の凹状係合部１１７と嵌合可能である。凹部１１４は、第１コネクタ１が挿入された際に、第１キャップ１０４が収容され、第１コネクタ本体１０３は収容されない寸法となっている。
【００６９】
図２２の（ａ）は案内キャップ１０９の平面図、（ｂ）は正面図である。案内キャップ１０９のカバー部１１５には、図１７に示したように、回動によって第２コネクタ本体１０８の端部１１２が収容される。カバー部１１５には、係合部１１５ａが形成されている。この凹状係合部１１５ａは、第１コネクタ本体１０３の凹状係合部１１７と同様の形状であり、従って、図１７に示した状態において、第２コネクタ本体１０８の凸状係合部１１２ａ（図２１（ｂ）参照）と嵌合する。収納部１２０は、凹状係合部１１５ａと同様の断面形状を持つ係合部１２０ａを有し、回動によって第１キャップを収容することができる。
【００７０】
上記構造の第２コネクタ本体１０８と案内キャップ１０９とを相対的に回動させ、図１７に示すように、回動右端において第２コネクタ本体１０８の端部１１２がカバー部１１５に封止された状態は、流路接続前の準備状態である。図２０に示すように、回動左端において端部１１２が開口部１１９に面し、流路１１３の先端が露出した状態は、流路が接続された接続状態である。但し、図２０は第２コネクタ１０２のみを示したものであり、実際の使用時には、後述するように、端部１１２に対して第１コネクタ本体１０３が結合した状態になる。
【００７１】
次に、第１コネクタ１と第２コネクタ１０２を接続・脱離する際の操作について図２３および図２４を参照して説明する。図２３（ａ）に示す状態では、第２コネクタ１０２は準備状態にあり、第１キャップ１０４が第２コネクタ本体１０８の凹部１１４に挿入されている。図２３（ｂ）は、第２コネクタ本体１０８を少し左回りに回動させた状態を示す。回動に伴い、第２コネクタ本体１０８の端部１１２の側壁に押されて、第１キャップ１０４が第１コネクタ本体１０３の凹状係合部１１７を摺動し、収納部１２０に向かって移動する。同時に、第２コネクタ本体１０８の凸状係合部１１２ａは、第１コネクタ本体１０３の凹状係合部１１７に対して摺動により嵌合し始める。すなわち、凹状係合部１１７に対する嵌合に関して、第１キャップ１０４と第２コネクタ本体１０８の端部１１２とが入れ替わることになる。
【００７２】
図２３（ｃ）は、第２コネクタ本体１０８を回動左端まで回動させた状態を示す。この状態において、第１キャップ１０４と端部１１２とは完全に入れ替わっている。すなわち、第１キャップ１０４は収納部１２０に収容され、端部１１２は第１コネクタ本体１０３と対向する。それにより、第１コネクタ本体１０３の流路１０７と第２コネクタ本体１０８の流路１１３が接続され連通する。第１コネクタ本体１０３と端部１１２は、第１コネクタ本体１０３と第１キャップ１０４の結合と同様の状態に結合しているので、はずれることはない。
【００７３】
この状態において、前述のように、案内キャップ１０９から第２コネクタ本体１０８を脱離させることができる。図２４は、案内キャップ１０９を除いた状態を示す。この状態において、案内キャップ１０９は、第１キャップ１０４を収納部１２０に保持している。通常の使用に際しては、新しい第１キャップ１０４を新しい案内キャップ１０９に収納したものを準備し、それを第２コネクタ本体１０８に改めて装着し、回動した後、後述の第１コネクタと第２コネクタの接続を解除する操作を行う。
【００７４】
次に、第１コネクタと第２コネクタを相互に脱離させる操作について説明する。すなわち、図２３（ｃ）の状態から図２３（ａ）の状態に回動させることにより、第１コネクタ本体１０３に対して第１キャップ１０４が装着され、第２コネクタ本体１０８の端部１１２はカバー部１１５に収容され、流路１１３は封止される。以上の操作において、第１コネクタ本体１０３から第１キャップ１０４を脱着する際も、コネクタの流路は保護されており、汚染から防護することができる。
【００７５】
なお、上記の操作を行う際には、第１コネクタ本体１０３をつまみ１２１とともに握って、第２コネクタ本体１０８を回動させれば、第１コネクタ本体１０３と第２コネクタ本体１０８の脱着を、安定して操作することができる。
【００７６】
上記構成の医療用チューブコネクタ装置を用いたコネクタ脱着操作および注・排液操作を伴う腹膜透析は、透析液バッグと排液バッグとが別個に脱着されるシングルバッグシステムでは、以下のように行われる。
【００７７】
(1) 排液バッグとの接続：  図２５に示すように、患者側の導管コネクタ１３１を第１コネクタ（第１キャップ付き）により構成する。排液バッグ側の導管コネクタ１３３を、導管によって排液バッグ１３２に連結された第２コネクタ（案内キャップ付き）により構成する。患者と排液バッグ１３２の接続は、導管コネクタ１３１と導管コネクタ１３３を接続することにより行う。
【００７８】
(2) 排液：  コネクタ装置を前記「準備状態」から前記「接続状態」に変位させ、排液バッグ側と患者側の流路を連結した後、患者体内からの貯留液を排液バッグ１３２に排出する。
【００７９】
(3) 排液バッグとの脱離：  コネクタ装置を前記「接続状態」から前記「準備状態」に変位させ、流路を閉止状態にする。導管コネクタ１３１と導管コネクタ１３３を脱離し、貯留排液の入った排液バッグ１３２を廃棄する。患者は排液バッグ１３２から解放される。導管コネクタ１３１には第１キャップが装着されており、汚染から防止される。
【００８０】
(4) 透析液バッグとの接続：  導管によって透析液バッグ１３４に連結された透析液バッグ側の導管コネクタ１３５（第２コネクタの構成を有する）に、導管コネクタ１３１を接続する。透析液バッグに連結した導管コネクタ１３５には、第１キャップを収納するための収納部１２０を設けても良いが、無くても特に問題ない。
【００８１】
(5) 透析液注入：  コネクタ装置を前記「準備状態」から前記「接続状態」に変位させ、透析液バッグ側と患者側の流路を連結した後、患者体内に新しい透析液を注入する。
【００８２】
(6) キャップ交換：  透析液側と患者側の流路を連結した「接続状態」のまま、第２コネクタより構成される導管コネクタ１３５から、案内キャップを脱離させる。このとき、導管コネクタ１３１の第１キャップは案内キャップに取り残されたままである。即ち、導管コネクタ１３１と導管コネクタ１３５とは、第１コネクタ本体と第２コネクタ本体同士が接続された状態で、第１キャップを保持した案内キャップ脱離する。（この交換用の案内キャップには、第１キャップを収容する収容部１２０が必要である。）次に、透析液バッグと一緒に包装されている新しい案内キャップ１３６（新しい第１キャップの装着されたもの）に、本体同士が接続した上記コネクタ（第１および第２）を接合させる。これによって、導管コネクタ１３５は新しい第１および案内キャップと交換されたことになる。
【００８３】
(7)透析液バッグとの脱離：  導管コネクタ１３５において、案内キャップに対し第２コネクタ本体を変位させ、前記「接続状態」から前記「準備状態」にして、流路を閉止した後、導管コネクタ１３５と導管コネクタ１３１とを脱離させる。このとき、導管コネクタ１３１には新しい第１キャップが装着されている。以上の操作によって、患者は透析液バッグ１３４から解放される。また、脱離した導管コネクタ１３５が接続された透析液バッグ１３４は、次回の排液バッグとして使用できるので、次の排液時まで保管しておくのが望ましい。
【００８４】
なお、上記操作の記述において簡単に説明したように、透析液バッグ１３４に最初に連結している導管コネクタ１３５の案内キャップには収納部１２０は特に無くても問題ないが、(6)のキャップ交換される案内キャップには（第１キャップを収納する）収納部１２０を設けることが望ましい。
【００８５】
以上は、シングルバッグシステムの場合について記載したが、本発明の装置は、図２６に示したように、排液バッグと患者接続部と透析液バッグ接続部とが分岐管で連結されたバッグフリーシステム１４０にも、適用可能である。また、図２７に示したように、ツインバッグシステム１４１と組み合わせた使用形態をとることもできる。さらに、図２８に示したように、注入・排液および調合等を自動で行うＡＰＤ（自動腹膜透析）装置１４２にも適用可能である。図２６〜１２において、図２５と同一の部材については、同一の番号を付して、説明を省略する。
【００８６】
図２６、２７のバッグフリーシステム１４０やツインバッグシステム１４１等のように、２つのバッグを連結した状態で液を注入、排液する場合は、実施の形態１で示した構造の第２コネクタ１３８を用い、第１コネクタ１３１との脱着を行うようにした方がより簡便に操作できる。
【００８７】
また、図２８に示すＡＰＤ装置１４２で複数の透析液バッグからの調合を行う場合に使用するコネクター、すなわち図２８に示す、導管コネクタ１３９（第１コネクタ）に接続される透析液側の導管コネクタ１３５は、「準備状態」から「接続状態」に移行した後に再度「準備状態」に戻る必要はなく、「接続状態」のままで廃棄するように簡素化しても良い。しかし、この場合でも患者側の導管コネクタ１３１と接続される導管コネクタ１３７は、患者側コネクタにキャップを装着する必要があるため、「準備状態」→「接続状態」→「準備状態」となるような機構が必要である。
【産業上の利用可能性】
【００８８】
本発明の医療用チューブコネクタ装置によれば、コネクタの接続・脱離がコネクタに設けた流路端部の露出を伴わなずに行われるため、外気中に浮遊する細菌による汚染から防護でき、また、脱着時に患者が接続部に直接手を触れることがないため、流路端部が手指により汚損されることがない。さらに、コネクタの接続・脱離の操作は、特別な器具を用いることもなく、極めて容易である。
【図面の簡単な説明】
【００８９】
【図１】本発明の実施の形態１にかかる医療用チューブコネクタ装置の斜視図
【図２】図１の医療用チューブコネクタ装置の断面図
【図３】保護キャップ接続部の拡大斜視図
【図４】保護キャップ接続部の他の例を示す拡大断面図
【図５】保護キャップ接続部の更に他の例を示す拡大断面図
【図６】回転体の一部を示し、（ａ）はその平面図、（ｂ）は断面図
【図７】図１の医療用チューブコネクタ装置における保護キャップの結合構造を示す断面図
【図８】図１の医療用チューブコネクタ装置の動作を説明するための断面図
【図９】図１の医療用チューブコネクタ装置の動作を説明するための断面図
【図１０】図１の医療用チューブコネクタ装置の動作を説明するための断面図
【図１１】図１の医療用チューブコネクタ装置の動作を説明するための断面図
【図１２】図１の医療用チューブコネクタ装置の動作を説明するための断面図
【図１３】図１の医療用チューブコネクタ装置の動作を説明するための断面図
【図１４】本発明の実施の形態１にかかる医療用チューブコネクタ装置の変形例を示す斜視図
【図１５】本発明の実施の形態１にかかる医療用チューブコネクタ装置の他の変形例を示す斜視図
【図１６】保護カバー付属時のチューブコネクタの断面図
【図１７】本発明の実施の形態２における医療用チューブコネクタ装置を示す平面図
【図１８】図１７の装置における第１コネクタを示し、（ａ）はその斜視図、（ｂ）は正面図、（ｃ）は（ｂ）におけるＡ−Ａ断面図
【図１９】図１７の装置における第２コネクタ本体と案内キャップとを分解して示した平面図
【図２０】図１７の装置における第２コネクタ本体が回動左端に位置する状態を示す平面図
【図２１】図１７の装置における第２コネクタ本体を示し、（ａ）はその平面図、（ｂ）は正面図、（ｃ）は背面図
【図２２】図１７の装置における案内キャップを示し、（ａ）は平面図、（ｂ）は（ａ）のＡ−Ａ断面図
【図２３】図１７の装置の操作時における各状態を示す図
【図２４】図２３（ｃ）の状態を案内キャップを除いて示した図で、（ａ）はその平面図、（ｂ）は正面図
【図２５】シングルバッグシステムにおいて、本発明のコネクタ装置を接続する状態を示す概略図
【図２６】本発明のコネクタ装置の、バッグフリーシステムへの適用例を示す概略図
【図２７】本発明のコネクタ装置を、ツインバッグシステムと連携させた例を示す概略図
【図２８】ＡＰＤ装置において、本発明のコネクタ装置を接続する状態を示す概略図
【図１】
0004543335.tif 000002
【図２】
0004543335.tif 000003
【図３】
0004543335.tif 000004
【図４】
0004543335.tif 000005
【図５】
0004543335.tif 000006
【図６】
0004543335.tif 000007
【図７】
0004543335.tif 000008
【図８】
0004543335.tif 000009
【図９】
0004543335.tif 000010
【図１０】
0004543335.tif 000011
【図１１】
0004543335.tif 000012
【図１２】
0004543335.tif 000013
【図１３】
0004543335.tif 000014
【図１４】
0004543335.tif 000015
【図１５】
0004543335.tif 000016
【図１６】
0004543335.tif 000017
【図１７】
0004543335.tif 000018
【図１８】
0004543335.tif 000019
【図１９】
0004543335.tif 000020
【図２０】
0004543335.tif 000021
【図２１】
0004543335.tif 000022
【図２２】
0004543335.tif 000023
【図２３】
0004543335.tif 000024
【図２４】
0004543335.tif 000025
【図２５】
0004543335.tif 000026
【図２６】
0004543335.tif 000027
【図２７】
0004543335.tif 000028
【図２８】
0004543335.tif 000029